(57)【要約】【課題】燃焼室によるガス流動の崩壊機能を十分に得ることの可能な燃焼室構造を提供する。【解決手段】シリンダ１３上方のシリンダヘッド下面に凹設されるペントルーフ型の燃焼室１４の中央に点火プラグを配設した火花点火式内燃機関において、燃焼室１４のクランク軸方向の両側と、クランク軸方向に直交する方向の両側との少なくとも一方に、シリンダヘッド下面１１Ａから立ち上がる一対の側壁面を有すると共に、この一対の側壁面の接続部がシリンダの内側に向かい凸となる曲率を有する第１張出部（４１，５１，６１，６２）が設けられ、かつ、ピストン１２のクランク軸方向の両側と、クランク軸方向に直交する方向の両側との少なくとも一方に、ピストン冠面１２Ａから立ち上がる一対の側壁面を有すると共に、この一対の側壁面の接続部がピストンの内側に向かい凸となる曲率を有する第２張出部（７１〜７４）が設けられる。【選択図】図１
2014214609.tif 000002
【特許請求の範囲】
【請求項１】
クランク軸と連結されるピストンが上下動するシリンダ上方のシリンダヘッドの下面側に、吸気ポートが開口する吸気側の傾斜面と、排気ポートが開口する排気側の傾斜面とを有するペントルーフ型の燃焼室が凹設されると共に、上記燃焼室の中央に点火プラグが配設され、かつ、上記シリンダ内にスワールを生成するスワール生成手段を備えた内燃機関の燃焼室構造において、
上記燃焼室の上記クランク軸方向の両側と、上記燃焼室の上記クランク軸方向に直交する方向の両側との少なくとも一方に、上記シリンダヘッド下面から立ち上がる一対の側壁面を有すると共に、この一対の側壁面の接続部が上記シリンダの内側に向かい凸となる曲率を有する第１張出部が設けられ、
かつ、上記ピストンの上記クランク軸方向の両側と、上記ピストンの上記クランク軸方向に直交する方向の両側との少なくとも一方に、上記ピストン冠面から立ち上がる一対の側壁面を有すると共に、この一対の側壁面の接続部が上記ピストンの内側に向かい凸となる曲率を有する第２張出部が設けられる
ことを特徴とする内燃機関の燃焼室構造。
【請求項２】
上記第１張出部と上記第２張出部とが上記シリンダ軸方向で対向し、かつ、上記第１張出部の有する一対の側壁面と上記第２張出部の有する一対の側壁面とが同一の形状であることを特徴とする請求項１に記載の内燃機関の燃焼室構造。
【請求項３】
上記第１張出部の有する一対の側壁面の接続部と、上記第２張出部の有する一対の側壁面の接続部とが上記スワールの下流側に偏っていることを特徴とする請求項２に記載の内燃機関の燃焼室構造。
【請求項４】
上記燃焼室の上記クランク軸方向の両側に、上記シリンダヘッド下面から立ち上がる一対の側壁面を有すると共に、この一対の側壁面の接続部が上記シリンダの内側に向かい凸となる曲率を有する第１張出部が設けられ、
かつ、上記ピストンの上記クランク軸方向の両側に、上記ピストン冠面から立ち上がる一対の側壁面を有すると共に、この一対の側壁面の接続部が上記ピストンの内側に向かい凸となる曲率を有する第２張出部が設けられる場合に、
上記第１張出部の有する上記一対の側壁面の上記シリンダ軸方向の長さは、上記第２張出部の有する上記一対の側壁面の上記シリンダ軸方向の長さより長いことを特徴とする請求項１から３までのいずれか一つに記載の内燃機関の燃焼室構造。
【請求項５】
上記燃焼室の上記クランク軸方向に直交する方向の両側に、上記シリンダヘッド下面から立ち上がる一対の側壁面を有すると共に、この一対の側壁面の接続部が上記シリンダの内側に向かい凸となる曲率を有する第１張出部が設けられ、
かつ、上記ピストンの上記クランク軸方向に直交する方向の両側に、上記ピストン冠面から立ち上がる一対の側壁面を有すると共に、この一対の側壁面の接続部が上記ピストンの内側に向かい凸となる曲率を有する第２張出部が設けられる場合に、
上記第１張出部の有する上記一対の側壁面の上記シリンダ軸方向の長さは、上記第２張出部の有する上記一対の側壁面の上記シリンダ軸方向の長さより短いことを特徴とする請求項１から３までのいずれか一つに記載の内燃機関の燃焼室構造。
【請求項６】
上記燃焼室の上記クランク軸方向の両側と、上記燃焼室の上記クランク軸方向に直交する方向の両側との両方に、上記シリンダヘッド下面から立ち上がる一対の側壁面を有すると共に、この一対の側壁面の接続部が上記シリンダの内側に向かい凸となる曲率を有する第１張出部が設けられ、
かつ、上記ピストンの上記クランク軸方向の両側と、上記ピストンの上記クランク軸方向に直交する方向の両側との両方に、上記ピストン冠面から立ち上がる一対の側壁面を有すると共に、この一対の側壁面の接続部が上記ピストンの内側に向かい凸となる曲率を有する第２張出部が設けられる場合に、
上記燃焼室の上記クランク軸方向の両側に設けられる上記第１張出部の有する上記一対の側壁面の上記シリンダ軸方向の長さは、上記ピストンの上記クランク軸方向の両側に設けられる上記第２張出部の有する上記一対の側壁面の上記シリンダ軸方向の長さより長く、
かつ、上記燃焼室の上記クランク軸方向に直交する方向の両側に設けられる上記第１張出部の有する上記一対の側壁面の上記シリンダ軸方向の長さは、上記ピストンの上記クランク軸方向に直交する方向の両側に設けられる上記第２張出部の有する上記一対の側壁面の上記シリンダ軸方向の長さより短いことを特徴とする請求項１から３までのいずれか一つに記載の内燃機関の燃焼室構造。
【発明の詳細な説明】
【技術分野】
【０００１】
本発明は、ガソリンエンジンに代表される火花点火式内燃機関の燃焼室構造に関する。
【背景技術】
【０００２】
シリンダヘッド下面側に凹設されるペントルーフ型の燃焼室にシリンダヘッド下面から立ち上がる一対の側壁面を設けるものがある（特許文献１参照）。このものでは、スワールの流れ方向に沿ってシリンダヘッド下面から立ち上がるスワール上流側の側壁面を、シリンダ内径線よりも大きな曲率でシリンダの内側へ湾曲させ、これによって混合気を燃焼室天井の中央にある点火プラグに向かわせている。
【先行技術文献】
【特許文献】
【０００３】
【特許文献１】特開２００９−１４４５３５号公報
【発明の概要】
【発明が解決しようとする課題】
【０００４】
ところで、上記特許文献１の技術では、燃焼を安定させる上でまだ改良の余地があることがわかった。これについて説明すると、上記特許文献１の技術では、燃焼室の下部を区画するピストン冠面はフラットな形状のままとしている。しかしながら、本発明者が燃焼室内のガス流れの解析を行ったところ、圧縮行程後半に生じるガス流動の崩壊タイミングにおいては、シリンダヘッド側と同等にピストン側にもガス流動の崩壊を妨げるガス流れであるバルクフローが存在する。このため、シリンダヘッド側にスワールの方向をシリンダの内側に向ける側壁面を設けるのみでは、燃焼室によるガス流動の崩壊機能が十分に得られないことが判明したのである。
【０００５】
そこで本発明は、燃焼室によるガス流動の崩壊機能を十分に得ることの可能な燃焼室構造を提供することを目的とする。
【課題を解決するための手段】
【０００６】
本発明の燃焼室構造では、クランク軸と連結されるピストンが上下動するシリンダ上方のシリンダヘッドの下面側に、吸気ポートが開口する吸気側の傾斜面と、排気ポートが開口する排気側の傾斜面とを有するペントルーフ型の燃焼室が凹設される。また、上記燃焼室の中央に点火プラグが配設され、かつ、上記シリンダ内にスワールを生成するスワール生成手段を備えている。こうした燃焼室構造において、本発明では、上記燃焼室の上記クランク軸方向の両側と、上記燃焼室の上記クランク軸方向に直交する方向の両側との少なくとも一方に、上記シリンダヘッド下面から立ち上がる一対の側壁面を有する。さらに、この一対の側壁面の接続部が上記シリンダの内側に向かい凸となる曲率を有する第１張出部が設けられる。かつ、上記ピストンの上記クランク軸方向の両側と、上記ピストンの上記クランク軸方向に直交する方向の両側との少なくとも一方に、上記ピストン冠面から立ち上がる一対の側壁面を有する。さらに、この一対の側壁面の接続部が上記ピストンの内側に向かい凸となる曲率を有する第２張出部が設けられる。
【発明の効果】
【０００７】
圧縮行程では、ピストンの上昇に伴って燃焼室内の混合気がスワールの流動成分を維持しつつシリンダ上方のシリンダヘッド側へ移動する。ピストン上死点近傍においては、スワールの流れがシリンダヘッド側に形成された一対の側壁面を有する第１張出部及びピストン側に形成された一対の側壁面を有する第２張出部によって燃焼室中央側へと向きを変える。つまり、第１張出部及び第２張出部がシリンダ内周に沿って流れるスワールの流れをシリンダの内側へと大きく偏向させて、燃焼室中央の点火プラグ近傍へ向かうように案内するスワールガイドとして機能する。向きを変えたスワールの流れは、点火プラグの近傍で互いに衝突する。この衝突によって、スワールの比較的大きな流れのエネルギーは、その流れの崩壊に伴って、燃焼を活性化させる微小な『乱れ』へと遷移する。このような『乱れ』の強化・増大により、燃焼速度が短縮され、着火性，燃焼安定性が向上する。この場合、第２張出部がなければ、ピストン上死点近傍において点火プラグ付近で互いに衝突するガス流れの一部が、ガスを取り巻く周囲の形状のアンバランスからピストン側へと流れる。このガスを取り巻く周囲の形状のアンバランスに伴い不要なガス流れが発生する分だけ、流れの崩壊が阻害されてしまう。しかしながら、本発明では第１張出部に対応する第２張出部をピストン側に設けているので、ガスを取り巻く周囲の形状のアンバランスに伴う不要なガス流れの発生を抑制できる。このように本発明によれば、スワールを従来の燃焼室構造よりも効率的に利用し、燃焼室によるガス流動の崩壊機能を十分に得て燃焼室内の乱れを増大することで、着火性・燃焼安定性を向上することができる。このため、例えば燃焼安定性を損ねることなくＥＧＲ量を十分に確保することが可能となり、燃費向上を図ることができる。
【図面の簡単な説明】
【０００８】
【図１】本発明の第１実施形態の火花点火式内燃機関の燃焼室構造を示す斜視図である。
【図２】第１実施形態のシリンダヘッドの下面側の平面図である。
【図３】第１実施形態のピストンの冠面側の平面図である。
【図４】第１実施形態の燃焼室のＬ１方向の一方の端の部分拡大断面図である。
【図５】第１実施形態の燃焼室のＬ２方向の一方の端の部分拡大断面図である。
【図６】第２実施形態のシリンダヘッドの下面側の平面図である。
【図７】第２実施形態のピストンの冠面側の平面図である。
【発明を実施するための形態】
【０００９】
以下、本発明を図面を参照して説明する。
【００１０】
（第１実施形態）
図１は燃焼室の構造を模式的に示す斜視図、図２はシリンダヘッド１１の下面側の平面図、図３はピストン１２の冠面側の平面図である。ここで、内燃機関は各シリンダが一列に並ぶ直列型のものであるとし、従ってシリンダブロック１０及びシリンダヘッド１１は全体として直方体の形状をしている。このため、シリンダヘッド１１は図２において左右方向に延びている。このシリンダヘッド１１が延びる方向、つまりクランク軸方向をＬ１とし、クランク軸に直交する方向をＬ２とする。また、シリンダ１３の軸方向をＬ０とする（図１参照）。このようにＬ１方向、Ｌ２方向を定めるとき、図４は燃焼室１４のＬ１方向の一方の端（図２で左端）の部分拡大断面図、図５は燃焼室１４のＬ２方向の一方の端（図２で下端）の部分拡大断面図である。
【００１１】
なお、記載する上で「上方」、「上」、「下方」、「下」を用いるが、これらは、図１を基準に考えている。すなわち、図１のようにシリンダ１３内をピストン１２が鉛直方向に往復動するものとしたときに、「上方」とは図１で鉛直上方を、「下方」とは図１で鉛直下方いうものとする。同じく、「上」とは図１で鉛直方向の上を、「下」とは、図１で鉛直方向の下をいうものとする。同じく、「上面」とは図１で鉛直方向の上方を向く面を、「下面」とは図１で鉛直方向の下方を向く面をいうものとする。また、「立ち上がる」というときの「上がる」とは図１で鉛直方向の上方に向かうことを、「立ち下がる」というときの「下がる」とは図１で鉛直方向の下方に向かうことをいうものとする。
【００１２】
内燃機関のシリンダブロック１０の上にはガスケットを介してシリンダヘッド１１が複数のヘッドボルトにより共締め固定されている。シリンダブロック１０には、ピストン１２が往復動可能に嵌合する複数のシリンダ（ボア）１３が設けられている。
【００１３】
各ピストン１２の上方には、ペントルーフ型の燃焼室１４が平坦なシリンダヘッド１１の下面１１Ａ側に凹設されている。このペントルーフ型の燃焼室１４の天井面には、吸気側の傾斜面３１と排気側の傾斜面３２とが設けられ、両傾斜面３１，３２は稜線３３で接続されている。吸気側の傾斜面３１には２つの吸気ポート１５，１６が、排気側の傾斜面３２には２つの排気ポート１７，１８が開口する。天井面の中央の頂部には点火プラグ１９が取り付けられている。つまり、点火プラグ１９はシリンダ中心位置付近において燃焼室１４内へ臨むようにシリンダヘッド１１に取り付けられている。
【００１４】
両吸気ポート１５，１６はシリンダヘッド１１のクランク軸方向の一側面（図２で下面１１Ｂ）から燃焼室１４に向かって貫通形成されている。また、両排気ポート１７，１８はシリンダヘッド１１のクランク軸方向の他側面（図２で上面１１Ｃ）から燃焼室１４に向かって貫通形成されている。吸気ポート１５，１６のシリンダヘッド開口端には図外の吸気マニホールドが、排気ポートのシリンダヘッド開口端には図外の排気マニホールドが接続される。また、各吸気ポート１５，１６の燃焼室開口端１５Ａ，１６Ａにはこの開口端を開閉する吸気弁２１，２２が、各排気ポート１７，１８の燃焼室開口端１７Ａ，１８Ａにはこの開口端を開閉する排気弁２３，２４が配設されている。
【００１５】
シリンダ１３及びその上方の燃焼室１４内にシリンダ円周方向の渦流であるスワールＳを生成するためのスワール生成手段として、一方の吸気弁２２の開作動を停止する弁停止機構２５が設けられている。一方の吸気弁２２の作動を停止して閉弁状態に維持することで、他方の吸気弁２１のみを介して吸気がシリンダ１３内に流入するために、図２に示すようなシリンダ内周に沿うスワールＳが生成される。弁停止機構２５として、吸気弁２２のバルブリフト量及び作動角を連続的に変化させ得る周知のリフト作動角可変機構を用いている。その弁停止機構２５の動作は制御部２６によって機関運転状態に応じて制御される。あるいは、スワール制御弁により一方の吸気ポートを閉じることによりスワールを生成するようにしてもよい。あるいは、吸気ポートの形状やレイアウトを適宜に設定することでスワールを定常的に付与するようにしても良い。
【００１６】
燃焼室１４内のガス流れに対するマスク（障碍物）を設けるため、燃焼室１４のＬ１方向の両側に各サイドウォール部４１，５１（第１張出部）を、燃焼室１４のＬ２方向の両側にスキッシュ部６１，６２（第２張出部）を形成する。以下、サイドウォール部４１，５１、スキッシュ部６１，６２の順に説明する。ここで、ペントルーフ型の燃焼室では、吸気ポートから排気ポートに向かうガス流れは基本的にユニフローであるため、このユニフローに対して燃焼室１４のＬ１方向の両側はサイドに当たる。このため、６１，６２の部位にサイドに設ける壁部という意味の「サイドウォール部」という名称を用いている。また、６１，６２の部位は基本的にスキッシュを生じさせる部位であるため、「スキッシュ部」という名称を用いている。
【００１７】
Ｌ１方向の一方の側（図２で左側）に形成されるサイドウォール部４１は、一対の側壁面４２，４３及び突出部４６から構成される。すなわち、サイドウォール部４１には、シリンダヘッド下面１１ＡからＬ０方向の上方へ（図２において紙面奥へ）略垂直に立ち上がり吸気側の傾斜面３１につながる側壁面４２が形成される。同じく、シリンダヘッド下面１１ＡからＬ０方向の上方へ（図２において紙面奥へ）略垂直に立ち上がり排気側の傾斜面３２につながる側壁面４３が形成される。
【００１８】
そして、スワールＳの流れ方向に沿ってシリンダヘッド下面１１Ａから立ち上がる側壁面４２を、シリンダ内径線１３Ａよりも大きな曲率でシリンダ１３の内側へ湾曲させている。この側壁面４２は、近接する吸気ポートの燃焼室開口端１５Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面４２は、スワールＳの上流側ではシリンダ内径線１３Ａと滑らかに接続している。この側壁面４２は、シリンダ内周に沿って流れるスワールＳの流れをシリンダ１３の内側へと大きく偏向させて、燃焼室中央の点火プラグ１９の近傍へ向かうように案内するスワールガイドとして機能している。
【００１９】
一方、他方の側壁面４３についても、上記側壁面４２のような湾曲面となっている。つまり、スワール下流側の側壁面４３についてもシリンダ内径線１３Ａよりも大きな曲率でシリンダ１３の内側へ湾曲させている。そして、一対の側壁面４２，４３の接続部４４はシリンダ１３の中心側に向かって凸となる曲率を有している。
【００２０】
さらに、突出部４６には、スワールガイドとしての機能を強化するため、上記一対の側壁面４２，４３が延設されている。この突出部４６に延設される一対の側壁面についても、シリンダヘッド下面１１Ａより立ち上がる一対の側壁面４２，４３と同じ符号である４２，４３を用いる。すなわち、延設される一対の側壁面４２，４３と、シリンダ内径線１３Ａと同じ外径を有する円周面４５とが、シリンダヘッド下面１１Ａより所定厚さだけＬ０方向の下方に（図２において紙面手前に）立ち下がることで、突出部４６が形成されている。このように一対の側壁面４２，４３を延設して一対の側壁面４２，４３の面積を大きくすることで、スワールガイドとしての機能が強化されることとなる。突出部４６の下面４６Ａはシリンダヘッド下面１１Ａと平行な平面で形成されている。
【００２１】
Ｌ１方向の他方の側（図２で右側）に形成されるサイドウォール部５１は、一対の側壁面５２，５３及び突出部５６から構成される。すなわち、サイドウォール部５１には、シリンダヘッド下面１１ＡからＬ０方向の上方へ（図２において紙面奥へ）略垂直に立ち上がり排気側の傾斜面３２につながる側壁面５２が形成される。同じく、シリンダヘッド下面１１ＡからＬ０方向の上方へ（図２において紙面奥へ）略垂直に立ち上がり吸気側の傾斜面３１につながる側壁面５３が形成される。
【００２２】
そして、スワールＳの流れ方向に沿ってシリンダヘッド下面１１Ａから立ち上がる側壁面５２を、シリンダ内径線１３Ａよりも大きな曲率でシリンダ１３の内側へ湾曲させている。この側壁面５２は、近接する排気ポートの燃焼室開口端１７Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面５２は、スワールＳの上流側ではシリンダ内径線１３Ａと滑らかに接続している。この側壁面５２は、シリンダ内周に沿って流れるスワールＳの流れをシリンダ１３の内側へと大きく偏向させて、燃焼室中央の点火プラグ１９の近傍へ向かうように案内するスワールガイドとして機能している。
【００２３】
一方、他方の側壁面５３についても、上記側壁面５２のような湾曲面となっている。つまり、スワール下流側の側壁面５３についてもシリンダ内径線１３Ａよりも大きな曲率でシリンダの内側へ湾曲させている。そして、一対の側壁面５２，５３の接続部５４はシリンダ１３の中心側に向かって凸となる曲率を有している。
【００２４】
さらに、突出部５６には、スワールガイドとしての機能を強化するため、上記一対の側壁面５２，５３が延設されている。この突出部５６に延設される一対の側壁面についても、シリンダヘッド下面１１Ａより立ち上がる一対の側壁面５２，５３と同じ符号である５２，５３を用いる。すなわち、延設される一対の側壁面５２，５３と、シリンダ内径線１３Ａと同じ外径を有する円周面５５とが、シリンダヘッド下面１１Ａより所定厚さだけＬ０方向の下方に（図２において紙面手前に）立ち下がることで、突出部５６が形成されている。このように一対の側壁面５２，５３を延設して一対の側壁面５２，５３の面積を大きくすることで、スワールガイドとしての機能が強化されることとなる。突出部５６の下面５６Ａはシリンダヘッド下面１１Ａと平行な平面で形成されている。
【００２５】
次に、Ｌ２方向の両側に形成される各スキッシュ部６１，６２について説明する。スキッシュ部は、ピストン上死点近傍においてピストン冠面との間に狭い隙間を作ることで、シリンダの淵からシリンダの中央に向けてのガス流れであるスキッシュを生じさせる部位である。本実施形態では、従来の燃焼室構造と相違して、このスキッシュ部にもスワールガイドとしての機能を付加するものである。これによって、サイドウォール部４１，５１とスキッシュ部６１，６２を合わせて、スワールガイドとして機能を有する部位を円周上の１８０°毎の２箇所から９０°毎の４箇所へと倍増することとなる。このため、スワールＳの流れをシリンダ１３の内側へと大きく偏向させるにしても、円周上で均等に偏向させることができる。なお、サイドウォール部４１，５１に形成した突出部４６，５６はシリンダヘッド下面１１Ａより下方に張り出している（図４参照）が、スキッシュ部６１，６２は、シリンダヘッド下面１１Ａより下方にまで張り出すことはない（図５参照）。
【００２６】
まず、Ｌ２方向の一方の側（図２で下側）に形成されるスキッシュ部６１は、一対の側面壁６１Ａ，６１Ｂと上面６１Ｃとで構成される。すなわち、シリンダ内径線１３Ａの内側にシリンダヘッド下面１１Ａと同一の面を構成する下面６１Ｃが形成される。シリンダヘッド下面１１Ａと同一の面を構成する下面６１ＣからＬ０方向の上方へ（図２において紙面奥へ）略垂直に立ち上がり吸気側の傾斜面３１につながる一対の側面壁６１Ａ，６１Ｂが形成される。
【００２７】
そして、スワールＳの流れ方向に沿って下面６１Ｃから立ち上がる側壁面６１Ａを、シリンダ内径線１３Ａよりも大きな曲率でシリンダ１３の内側へ湾曲させている。この側壁面６１Ａは、近接する吸気ポートの燃焼室開口端１６Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面６１Ａは、スワール上流側ではシリンダ内径線１３Ａと滑らかに接続している。この側壁面６１Ａは、シリンダ内周に沿って流れるスワールＳの流れをシリンダ１３の内側へと大きく偏向させて、燃焼室中央の点火プラグ１９の近傍へ向かうように案内するスワールガイドとして機能している。
【００２８】
一方、他方の側壁面６１Ｂについても、上記側壁面６１Ａのような湾曲面となっている。つまり、スワール下流側の側壁面６１Ｂについてもシリンダ内径線１３Ａよりも大きな曲率で内側へ湾曲させている。そして、一対の側壁面６１Ａ，６１Ｂの接続部６１Ｄはシリンダ１３の中心側に向かって凸となる曲率を有している。
【００２９】
Ｌ２方向の他方の側（図２で上側）に形成されるスキッシュ部６２は、一対の側面壁６２Ａ，６２Ｂと上面６２Ｃとで構成される。すなわち、シリンダ内径線１３Ａの内側にシリンダヘッド下面１１Ａと同一の面を構成する下面６２Ｃが形成される。シリンダヘッド下面１１Ａと同一の面を構成する下面６２ＣからＬ０方向の上方へ（図２において紙面奥へ）略垂直に立ち上がり排気側の傾斜面３２につながる一対の側面壁６２Ａ，６２Ｂが形成される。
【００３０】
そして、スワールＳの流れ方向に沿って下面６２Ｃから立ち下がる側壁面６２Ａを、シリンダ内径線１３Ａよりも大きな曲率でシリンダ１３の内側へ湾曲させている。この側壁面６２Ａは、近接する排気ポートの燃焼室開口端１８Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面６２Ａは、スワール上流側ではシリンダ内径線１３Ａと滑らかに接続している。この側壁面６２Ａは、シリンダ内周に沿って流れるスワールＳの流れをシリンダ１３の内側へと大きく偏向させて、燃焼室中央の点火プラグ１９の近傍へ向かうように案内するスワールガイドとして機能している。
【００３１】
一方、他方の側壁面６２Ｂについても、上記側壁面６２Ａのような湾曲面となっている。つまり、スワール下流側の側壁面６２Ｂについてもシリンダ内径線１３Ａよりも大きな曲率で内側へ湾曲させている。そして、一対の側壁面６２Ａ，６２Ｂの接続部６２Ｄはシリンダ１３の中心側に向かって凸となる曲率を有している。
【００３２】
まとめると、燃焼室１４のＬ１方向の両側にスワールガイドとして機能するサイドウォール部４１，５１を、燃焼室１４のＬ２方向の両側にもスワールガイドとして機能するスキッシュ部６１，６２を設けている。なお、図１には、図面手前にあるサイドウォール部５１とスキッシュ部６２のみを記載し、図面後方にあるサイドウォール部４１とスキッシュ部６１は、記載していない。
【００３３】
次に、図３に示したように、ピストン１２の側にも、サイドウォール部７１，７２及びスキッシュ部７３，７４を設ける。従来の燃焼室構造では、ピストン冠面はフラットな形状のままとしている。しかしながら、本発明者によるガス流動の解析結果によれば次のことが判明している。すなわち、ピストン側にも、シリンダヘッド側のサイドウォール部とスキッシュ部に対向する部位に、スワールガイドとしての機能を有する部位を設けたほうが燃焼室によるガス流動の崩壊機能が十分に得られることが判明している。ここで、ピストン側にもスワールガイドとしての機能を有する部位を設けたほうが燃焼室によるガス流動の崩壊機能が十分に得られる理由は、次のようなことであると考えられる。シリンダヘッド側とピストン側とにつまり上下にスワールガイドとしての機能を有する部位が同じように存在すれば、ピストン上死点近傍でガス流れが点火プラグ１９の付近で互いに衝突することで流れの崩壊が効率的に行われる。この場合、ピストン側につまり下方にスワールガイドとしての機能を有する部位がなければ、ピストン上死点近傍で点火プラグ１９の付近で互いに衝突するガス流れの一部が、ガスを取り巻く周囲の形状のアンバランスから下方へと流れる。このガスを取り巻く周囲の形状のアンバランスに伴い、不要なガス流れが発生する分だけ、流れの崩壊が阻害されてしまうと考えられるのである。そこで、本実施形態では、ピストン側にも、シリンダヘッド側のサイドウォール部４１，５１に対向する部位にスワールガイドとしての機能を有するサイドウォール部７１，７２を設ける。また、シリンダヘッド側のスキッシュ部６１，６２に対向する部位にスワールガイドとしての機能を有するスキッシュ部７３，７４を設ける。
【００３４】
Ｌ１方向の一方の側（図３で右側）に形成するサイドウォール部７１は、一対の側壁面７１Ａ，７１Ｂと、ピストン外径線１２Ｃと同じ外径を有する円周面７１Ｃと、上面７１Ｄとで構成される。すなわち、サイドウォール部７１の上面７１Ｄは、ピストン冠面１２Ａより所定厚さだけＬ０方向の上方の位置にピストン冠面１２Ａと平行な平面で形成されている。隣接する一対の側壁面７１Ａ，７１Ｂ及び円周面７１Ｃはピストン冠面１２ＡからＬ０方向の上方へ（図３において紙面手前へ）略垂直に立ち上がり上面７１Ｄにつながっている。
【００３５】
そして、スワールＳの流れ方向に沿ってピストン冠面１２Ａから立ち上がる側壁面７１Ａを、ピストン外径線１２Ｃよりも大きな曲率でシリンダ１３の内側へ湾曲させている。この側壁面７１Ａは、ピストン１２の上死点付近で近接する吸気ポートの燃焼室開口端１５Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面７１Ａは、スワール上流側ではピストン外径線１２Ａと滑らかに接続している。この側壁面７１Ａは、シリンダ内周に沿って流れるスワールＳの流れをシリンダ１３の内側へと大きく偏向させて、燃焼室中央の点火プラグ１９の近傍へ向かうように案内するスワールガイドとして機能している。
【００３６】
一方、他方の側壁面７１Ｂについても、上記側壁面７１Ａのような湾曲面となっている。つまり、スワール下流側の側壁面７１Ｂについてもピストン外径線１２Ｃよりも大きな曲率でシリンダの内側へ湾曲させている。そして、一対の側壁面７１Ａ，７１Ｂの接続部７１Ｅはピストン１２の中心側に向かって凸となる曲率を有している。
【００３７】
Ｌ１方向の他方の側（図３で左側）に形成するサイドウォール部７２は、一対の側壁面７２Ａ，７２Ｂと、ピストン外径線１２Ｃと同じ外径を有する円周面７２Ｃと、上面７２Ｄとで構成される。すなわち、サイドウォール部７２の上面７２Ｄは、ピストン冠面１２Ａより所定厚さだけＬ０方向の上方の位置にピストン冠面１２Ａと平行な平面で形成されている。隣接する一対の側壁面７２Ａ，７２Ｂ及び円周面７２Ｃはピストン冠面１２ＡからＬ０方向の上方へ（図３において紙面手前へ）略垂直に立ち上がり上面７２Ｄにつながっている。
【００３８】
そして、スワールＳの流れ方向に沿ってピストン冠面１２Ａから立ち上がる側壁面７２Ａを、ピストン外径線１２Ｃよりも大きな曲率でシリンダ１３の内側へ湾曲させている。この側壁面７２Ａは、ピストン１２の上死点付近で近接する排気ポートの燃焼室開口端１７Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面７２Ａは、スワール上流側ではピストン外径線１２Ｃと滑らかに接続している。この側壁面７２Ａは、シリンダ内周に沿って流れるスワールＳの流れをシリンダ１３の内側へと大きく偏向させて、燃焼室中央の点火プラグ１９の近傍へ向かうように案内するスワールガイドとして機能している。
【００３９】
一方、他方の側壁面７２Ｂについても、上記側壁面７２Ａのような湾曲面となっている。つまり、スワール下流側の側壁面７２Ｂについてもピストン外径線１２Ｃよりも大きな曲率でシリンダの内側へ湾曲させている。そして、一対の側壁面７２Ａ，７２Ｂの接続部７２Ｅはピストン１２の中心側に向かって凸となる曲率を有している。
【００４０】
Ｌ２方向の一方の側（図３で下側）に形成するスキッシュ部７３は、一対の側壁面７３Ａ，７３Ｂと、ピストン外径線１２Ｃと同じ外径を有する円周面７３Ｃと、上面７３Ｄとで構成される。すなわち、スキッシュ部７３の上面７３Ｄは、ピストン冠面１２Ａより所定厚さだけＬ０方向の上方の位置にピストン冠面１２Ａと平行な平面で形成されている。隣接する一対の側壁面７３Ａ，７３Ｂ及び円周面７３Ｃはピストン冠面１２ＡからＬ０方向の上方へ（図３において紙面手前へ）略垂直に立ち上がり上面７３Ｄにつながっている。
【００４１】
そして、スワールＳの流れ方向に沿ってピストン冠面１２Ａから立ち上がる側壁面７３Ａを、ピストン外径線１２Ｃよりも大きな曲率でシリンダ１３の内側へ湾曲させている。この側壁面７３Ａは、ピストン１２の上死点付近で近接する吸気ポートの燃焼室開口端１６Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面７３Ａは、スワール上流側ではピストン外径線１２Ｃと滑らかに接続している。この側壁面７３Ａは、シリンダ内周に沿って流れるスワールＳの流れをシリンダ１３の内側へと大きく偏向させて、燃焼室中央の点火プラグ１９の近傍へ向かうように案内するスワールガイドとして機能している。
【００４２】
一方、他方の側壁面７３Ｂについても、上記側壁面７３Ａのような湾曲面となっている。つまり、スワール下流側の側壁面７３Ｂについてもピストン外径線１２Ｃよりも大きな曲率でシリンダの内側へ湾曲させている。そして、一対の側壁面７３Ａ，７３Ｂの接続部７３Ｅはピストン１２の中心側に向かって凸となる曲率を有している。
【００４３】
なお、ピストン冠面１２Ａに成層燃焼用のボウル１２Ｂが凹設されるときには、スキッシュ部７３のうち、ボウル１２Ｂと干渉する部分は削除するものとする。
【００４４】
Ｌ２方向の他方の側（図３で上側）に形成するスキッシュ部７４は、一対の側壁面７４Ａ，７４Ｂと、ピストン外径線１２Ｃと同じ外径を有する円周面７４Ｃと、上面７４Ｄとで構成される。すなわち、スキッシュ部７４の上面７４Ｄは、ピストン冠面１２Ａより所定厚さだけＬ０方向の上方の位置にピストン冠面１２Ａと平行な平面で形成されている。隣接する一対の側壁面７４Ａ，７４Ｂ及び円周面７４Ｃはピストン冠面１２ＡからＬ０方向の上方へ（図３において紙面手前へ）略垂直に立ち上がり上面７４Ｄにつながっている。
【００４５】
そして、スワールＳの流れ方向に沿ってピストン冠面１２Ａから立ち上がる側壁面７４Ａを、ピストン外径線１２Ｃよりも大きな曲率でシリンダ１３の内側へ湾曲させている。この側壁面７４Ａは、ピストン１２の上死点付近で近接する排気ポートの燃焼室開口端１８Ａの外周に沿うように湾曲しつつ、スワールＳの流れ方向に沿って点火プラグ１９へ向かうほど曲率が大きくなるように、渦巻き状，インボリュート曲線状に湾曲している。また、側壁面７４Ａは、スワール上流側ではピストン外径線１２Ｃと滑らかに接続している。この側壁面７４Ａは、シリンダ内周に沿って流れるスワールＳの流れをシリンダ１３の内側へと大きく偏向させて、燃焼室中央の点火プラグ１９の近傍へ向かうように案内するスワールガイドとして機能している。
【００４６】
一方、他方の側壁面７４Ｂについても、上記側壁面７４Ａのような湾曲面となっている。つまり、スワール下流側の側壁面７４Ｂについてもピストン外径線１２Ｃよりも大きな曲率でシリンダの内側へ湾曲させている。そして、一対の側壁面７４Ａ，７４Ｂの接続部７４Ｅはピストン１２の中心側に向かって凸となる曲率を有している。
【００４７】
まとめると、ピストン１２のＬ１方向の両側にスワールガイドとして機能するサイドウォール部７１，７２を、ピストン１２のＬ２方向の両側にもスワールガイドとして機能するスキッシュ部７３，７４を設けている。なお、図１には、図面手前にあるサイドウォール部７２とスキッシュ部７４のみを記載し、図面後方にあるサイドウォール部７１とスキッシュ部７３は記載していない。
【００４８】
このように、シリンダヘッド側にサイドウォール部４１，５１及びスキッシュ部６１，６２を、ピストン側にサイドウォール部７１，７２及びスキッシュ部７３，７４をそれぞれ設けたが、さらに次の条件を満足するようにする。すなわち、シリンダヘッド側のサイドウォール部４１，５１及びスキッシュ部６１，６２と、ピストン側のサイドウォール部７１，７２及びスキッシュ部７３，７４とがＬ０方向で互いに対向するようにする。かつ、シリンダヘッド側のサイドウォール部４１，５１及びスキッシュ部６１，６２の有する一対の側壁面と、ピストン側のサイドウォール部７１，７２及びスキッシュ部７３，７４の有する側壁面とが同一の形状であるようにする。これら２つの条件を満足させるようにする理由は前述した。すなわち、シリンダヘッド側とピストン側とにスワールガイドとしての機能を有する部位が同じように存在すれば、ピストン上死点近傍でガス流れが点火プラグ１９の付近で互いに衝突することで流れの崩壊が効率的に行われるためである。
【００４９】
具体的には、サイドウォール部４１と、サイドウォール部７１とが対向する（図４参照）と共に、サイドウォール部４１の有する一対の側壁面４２，４３と、サイドウォール部７１の有する一対の側壁面７１Ａ，７１Ｂとが同一の形状であるようにする。サイドウォール部５１と、サイドウォール部７２とが対向すると共に、サイドウォール部５１の有する一対の側壁面５２，５３と、サイドウォール部７２の有する一対の側壁面７２Ａ，７２Ｂとが同一の形状であるようにする。同じく、スキッシュ部６１と、スキッシュ部７３とが対向する（図５参照）と共に、スキッシュ部６１の有する一対の側壁面６１Ａ，６１Ｂと、スキッシュ部７３の有する一対の側壁面７３Ａ，７３Ｂとが同一の形状であるようにする。スキッシュ部６２と、スキッシュ部７４とが対向すると共に、スキッシュ部６２の有する一対の側壁面６２Ａ，６２Ｂと、スキッシュ部７４の有する一対の側壁面７４Ａ，７４Ｂとが同一の形状であるようにする。
【００５０】
この場合に、図４に示したように、サイドウォール部４１の一対の側壁面４２，４３のＬ０方向の長さを所定値Ｈｈ１、サイドウォール部７１の一対の側壁面７１Ａ，７１ＢのＬ０方向の長さを所定値Ｈｐ１とする。図示しないが、サイドウォール部５１の一対の側壁面５２，５３のＬ０方向の長さも所定値Ｈｈ１、サイドウォール部７２の一対の側壁面７２Ａ，７２ＢのＬ０方向の長さも所定値Ｈｐ１とする。このとき、２つの所定値Ｈｈ１，Ｈｐ１の間にＨｈ１＞Ｈｐ１となる関係が成立するようにする。サイドウォール部４１の一対の側壁面４２，４３のＬ０方向の長さをサイドウォール部７１の一対の側壁面７１Ａ，７１ＢのＬ０方向の長さより長くしたのは、サイドウォール部４１の側壁面４２がスワールガイドとして主に働くようにするためである。
【００５１】
また、図５に示したように、スキッシュ部６１の一対の側壁面６１Ａ，６１ＢのＬ０方向の長さを所定値Ｈｈ２、スキッシュ部７３の一対の側壁面７３Ａ，７３ＢのＬ０方向の長さを所定値Ｈｐ２とする。図示しないが、スキッシュ部６２の一対の側壁面６２Ａ，６２ＢのＬ０方向の長さも所定値Ｈｈ２、スキッシュ部７４の一対の側壁面７４Ａ，７４ＢのＬ０方向の長さも所定値Ｈｐ２とする。このとき、２つの所定値Ｈｈ２，Ｈｐ２の間にＨｈ２＜ｐ１となる関係が成立するようにする。スキッシュ部７３の一対の側壁面７３Ａ，７３ＢのＬ０方向の長さをスキッシュ部６１の一対の側壁面６１Ａ，６１ＢのＬ０方向の長さより長くしたのは、スキッシュ部７３の側壁面７３Ａがスワールガイドとして主に働くようにするためである。このように、サイドウォール部とスキッシュ部とで取り扱いが異なるのは、ペントルーフ型の燃焼室１４においてはＬ１方向とＬ２方向とで燃焼室の外周近傍の形状が異なるためである。
【００５２】
次に、スワールＳを生成する運転条件における燃焼室内のガス流動について説明する。吸気行程ではピストン１２の下降に伴って吸気が一方の吸気ポート１５より流入し、斜め下方向へ向けて旋回するスワールＳが生成される。圧縮行程前半では、スワールＳがほぼ平面的なものとなり、ピストン上昇に伴って上方のシリンダヘッド側へと近づいていく。ここで本実施形態では、スワールガイドとしてのサイドウォール部４１，５１、スキッシュ部６１，６２がシリンダヘッド１１側にシリンダ１３の周方向に９０°間隔で形成されている。さらに、ピストン１２側にはサイドウォール部４１，５１、スキッシュ部６１，６２に対向してサイドウォール部７１，７２、スキッシュ部７３，７４がピストン１２の周方向に９０°間隔で形成されている。かつ、サイドウォール部４１，５１、スキッシュ部６１，６２の有する一対の側壁面が、サイドウォール部７１，７２、スキッシュ部７３，７４の有する一対の側壁面と同一の形状で形成されている。このため、スワールＳの流動成分が乱されることなく良好に維持される。そして、圧縮行程後半になると、ピストン１２上方の空間の大部分をシリンダヘッド１１に凹設された燃焼室１４、つまりシリンダヘッド１１側の容積が占める状態となる。この状態では燃焼室１４内に入り込んだ混合気の流れが、特にシリンダヘッド側の４つの湾曲する側壁面４２，５２，６１Ａ，６２Ａ及びピストン側の４つの湾曲する側壁面７１Ａ〜７４Ａによってシリンダ周縁から点火プラグ１９へ向けて均等に変えられる。このように向きを変えられた混合気の流れが点火プラグ１９の付近で互いに衝突することで流れの崩壊が生じ、燃焼を活発化させる『乱れ』へと遷移し、この乱れによって燃焼速度を速め、着火性、燃焼安定性を大幅に向上させることができる。
【００５３】
本実施形態では、サイドウォール部４１（第１張出部）とサイドウォール部７１（第２張出部）とが、サイドウォール部５１（第１張出部）とサイドウォール部７２（第２張出部）とがＬ０方向で対向する。同じく、スキッシュ部６１（第１張出部）とスキッシュ部７３（第２張出部）とが、スキッシュ部６２（第１張出部）とスキッシュ部７４（第２張出部）とがＬ０方向で対向する。かつ、サイドウォール部４１（第１張出部）の有する一対の側壁面４２，４３とサイドウォール部７１（第２張出部）の有する一対の側壁面７１Ａ，７１Ｂとが同一の形状である。サイドウォール部５１（第１張出部）の有する一対の側壁面５２，５３とサイドウォール部７２（第２張出部）の有する一対の側壁面７２Ａ，７２Ｂとが同一の形状である。同じく、スキッシュ部６１（第１張出部）の有する一対の側壁面６１Ａ，６１Ｂとスキッシュ部７３（第２張出部）の有する一対の側壁面７３Ａ，７３Ｂとが同一の形状である。スキッシュ部６２（第１張出部）の有する一対の側壁面６２Ａ，６２Ｂとスキッシュ部７４（第２張出部）の有する一対の側壁面７４Ａ，７４Ｂとが同一の形状である。これによって、第１張出部の有する一対の側壁面と第２張出部の有する一対の側壁面の側壁面とが同一の形状でない場合より、良好なスワール崩壊効果を得ることができる。このように第１張出部と第２張出部とがＬ０方向で対向し、かつ、第１張出部の有する一対の側壁面と第２張出部の有する一対の側壁面とが同一の形状であるとしたのは、燃焼室内のガス流動の解析結果を反映させたものである。
【００５４】
本実施形態では、燃焼室１４のＬ１方向の両側に、シリンダヘッド下面１１Ａから立ち上がる一対の側壁面４２，４３，５２，５３を有する。さらに、この一対の側壁面４２，４３，５２，５３の接続部４４，５４がシリンダ１３の内側に向かい凸となる曲率を有するサイドウォール部４１，５１（第１張出部）が設けられる。かつ、ピストン１２のＬ１方向の両側に、ピストン冠面１２Ａから立ち上がる一対の側壁面７１Ａ，７１Ｂ，７２Ａ，７２Ｂを有する。さらに、この一対の側壁面７１Ａ，７１Ｂ，７２Ａ，７２Ｂの接続部７１Ｅ，７２Ｅがピストン１２の内側に向かい凸となる曲率を有するサイドウォール部７１，７２（第２張出部）が設けられる。この場合に、サイドウォール部４１，５１の有する一対の側壁面４２，４３、５２，５３のＬ０方向の長さＨｈ１は、サイドウォール部７１，７２の有する一対の側壁面７１Ａ，７１Ｂ、７２Ａ，７２ＢのＬ０方向の長さＨｐ１より長くしている。これによって、燃焼室１４のＬ１方向の両側にスワール流れを点火プラグ１９に向けて変え得る側壁面を良好に形成することができる。
【００５５】
本実施形態では、燃焼室１４のＬ２方向の両側に、シリンダヘッド下面１１Ａから立ち上がる一対の側壁面６１Ａ，６１Ｂ，６２Ａ，６２Ｂを有する。さらに、この一対の側壁面６１Ａ，６１Ｂ，６２Ａ，６２Ｂの接続部６１Ｄ，６２Ｄがシリンダ１３の内側に向かい凸となる曲率を有するスキッシュ部６１，６２（第１張出部）が設けられる。かつ、ピストン１２のＬ２方向の両側に、ピストン冠面１２Ａから燃焼室１４に向けて立ち上がる一対の側壁面７３Ａ，７３Ｂ，７４Ａ，７４Ｂを有する。さらに、この一対の側壁面７３Ａ，７３Ｂ，７４Ａ，７４Ｂの接続部７３Ｅ，７４Ｅがピストン１２の内側に向かい凸となる曲率を有するスキッシュ部７３，７４（第２張出部）が設けられる。この場合に、スキッシュ部６１，６２の有する一対の側壁面６１Ａ，６１Ｂ、６２Ａ，６２ＢのＬ０方向の長さＨｈ２は、スキッシュ部７３，７４の有する一対の側壁面７３Ａ，７３Ｂ、７４Ａ，７４ＢのＬ０方向の長さＨｐ２より短くしている。これによって、燃焼室１４のＬ２方向の両側にスワール流れを点火プラグ１９に向けて変え得る側壁面を良好に形成することができる。
【００５６】
さらに本実施形態では、シリンダヘッド側のサイドウォール部４１，５１の下面及びスキッシュ部６１，６２の下面と、ピストン側のサイドウォール部７１，７２の上面及びスキッシュ部７３，７４の上面との間にわずかな隙間が形成されている。このシリンダヘッド側のサイドウォール部４１，５１及びスキッシュ部６１，６２の下面と、ピストン側のサイドウォール部４１，５１及びスキッシュ部６１，６２の上面との僅かな隙間であるスキッシュエリアからのスキッシュ流によって、ピストン上死点近傍における『乱れ』をさらに強化することができる。すなわち、シリンダヘッド側のサイドウォール部及びスキッシュ部の下面とピストン側のサイドウォール部及びスキッシュ部の上面との間にわずかな隙間を形成することで、燃焼室内の『乱れ』をさらに強化することができる。
【００５７】
（第２実施形態）
図６は第２実施形態のシリンダヘッドの下面側の平面図、図７は第２実施形態のピストンの冠面側の平面図である。第１実施形態の図２，図３と置き換わるものである。図２，図３と同一部分には同一の符号を付している。
【００５８】
第１実施形態では、図２に示したようにスキッシュ部６１，６２の一対の側壁面６１Ａ，６１Ｂ、６２Ａ，６２Ｂが接続部６１Ｄ，６２Ｄを通る径方向の線を中心としてほぼ左右対称であった。同じく、図３に示したようにスキッシュ部７３，７４の一対の側壁面７３Ａ，７３Ｂ、７４Ａ，７４Ｂが接続部７３Ｅ，７４Ｅを通る半径方向の線を中心としてほぼ左右対称であった。一方、第２実施形態は、図６に示したようにスキッシュ部６１，６２の一対の側壁面６１Ａ，６１Ｂ、６２Ａの接続部６１Ｄ，６２ＤをスワールＳの下流側に偏らせたものである。同じく、図７に示したようにスキッシュ部７３，７４の一対の側壁面７３Ａ，７３Ｂ、７４Ａ，７４Ｂの接続部７３Ｅ，７４ＥをスワールＳの下流側に偏らせる。この場合、接続部を偏らせた後にも、スキッシュ部６１，６２とスキッシュ部７３，７４とがＬ０方向で対向するようにする。かつ、スキッシュ部の有する一対の側壁面６１Ａ，６１Ｂ、６２Ａ，６２Ｂとスキッシュ部の有する一対の側壁面７３Ａ，７３Ｂ、７４Ａ，７４Ｂとが同一の形状であるようにする。
【００５９】
第２実施形態では、サイドウォール部４１（第１張出部）の有する一対の側壁面４２，４３の接続部４４とサイドウォール部７１（第２張出部）の有する一対の側壁面７１Ａ，７１Ｂの接続部７１ＥとがスワールＳの下流側に偏っている。同じく、サイドウォール部５１（第１張出部）の有する一対の側壁面５２，５３の接続部５４とサイドウォール部７２（第２張出部）の有する一対の側壁面７２Ａ，７２Ｂの接続部７２ＥとがスワールＳの下流側に偏っている。これによって、第１張出部の有する一対の側壁面の接続部と第２張出部の有する一対の側壁面の接続部とがスワールＳの下流側に偏っていない場合より、接続部７１Ｅ，７２Ｅでのガス流れの剥離を発生し易くすることができる。ここでいうガス流れの剥離とは、シリンダ内周に沿う流れからシリンダの内側へと偏向する流れへの剥離である。
【００６０】
実施形態では、シリンダヘッド１１の側にサイドウォール部４１，５１およびスキッシュ部６１，６２を、ピストン１２の側にサイドウォール部７１，７２およびスキッシュ部７３，７４を設ける場合で説明した。本発明はこの場合に限られない。例えば、シリンダヘッド１１の側にサイドウォール部４１，５１のみを、ピストン１２の側にサイドウォール部７１，７２のみを設けることであってよい。シリンダヘッド１１の側にスキッシュ部６１，６２のみを、ピストン１２の側にスキッシュ部７３，７４のみを設けることであってよい。
【符号の説明】
【００６１】
１１…シリンダヘッド
１１Ａ…シリンダヘッド下面
１２…ピストン
１３…シリンダ（ボア）
１３Ａ…シリンダ内径線
１４…燃焼室
１５，１６…吸気ポート
１７，１８…排気ポート
１９…点火プラグ
２１，２２…吸気弁
２３，２４…排気弁
２５…弁停止機構（スワール生成手段）
３１，３２…傾斜面
４１…サイドウォール部（第１張出部）
４２，４３…一対の側壁面
４４…接続部
４６…突出部
５１…サイドウォール部（第１張出部）
５２，５３…一対の側壁面
５４…接続部
５６…突出部
６１…スキッシュ部（第１張出部）
６１Ａ，６１Ｂ…一対の側壁面
６１Ｄ…接続部
６２…スキッシュ部（第１張出部）
６２Ａ，６２Ｂ…一対の側壁面
６２Ｄ…接続部
７１…サイドウォール部（第２張出部）
７１Ａ，７１Ｂ…一対の側壁面
７１Ｅ…接続部
７２…サイドウォール部（第２張出部）
７２Ａ，７２Ｂ…一対の側壁面
７２Ｅ…接続部
７３…スキッシュ部（第２張出部）
７３Ａ，７３Ｂ…一対の側壁面
７３Ｅ…接続部
７４…スキッシュ部（第２張出部）
７７Ａ，７４Ｂ…一対の側壁面
７４Ｅ…接続部
【図１】
2014214609.tif 000003
【図２】
2014214609.tif 000004
【図３】
2014214609.tif 000005
【図４】
2014214609.tif 000006
【図５】
2014214609.tif 000007
【図６】
2014214609.tif 000008
【図７】
2014214609.tif 000009